(57)【特許請求の範囲】
【請求項１】
浴室ユニットに組み込まれる洗い場床であって、
当該洗い場床の床面部を構成する床面部材と、当該洗い場床の排水ピット部を構成する排水ピット部材とからなり、前記床面部材の端部裏面に前記排水ピット部材の上端を接合して一体化した表面材と、
前記床面部材の下部に配置され、洗い場床の床面部の上に加わる荷重を支える基材と、
前記排水ピット部材の底部に形成された排水口に取り付けられ、排水管が接続される排水トラップと、
前記排水ピット部材の上に載置され、前記排水ピット部材の上部を覆い隠すカバー部材と、を備え、
前記カバー部材から前記排水ピット部材に加わる力が前記床面部材と前記排水ピット部材との接合部に伝わることを抑止する接合部保護手段を設けたことを特徴とする洗い場床。
【請求項２】
前記接合部保護手段は、前記排水ピット部材の下部に配置され、前記カバー部材から前記排水ピット部材に加わる力を建築床に伝達するものであることを特徴とする請求項１記載の洗い場床。
【請求項３】
前記接合部保護手段は、
前記排水ピット部材の真下に配置され、該排水ピット部材を受け止める受け止め部と、
前記排水ピット部材の真下空間から離間した位置に設けられ、前記建築床上に接地される接地部と、
前記排水トラップおよび前記排水管と干渉することなく前記受け止め部で受けた力を前記接地部に伝達する伝達部と、を有していることを特徴とする請求項２記載の洗い場床。
【請求項４】
前記受け止め部は、前記排水ピット部材の前記カバー部材が載置される載置部の真下位置に設けられていることを特徴とする請求項３記載の洗い場床。
【請求項５】
前記受け止め部および前記伝達部は前記基材に形成されており、
前記接地部は前記基材を支持する基材支持脚であることを特徴とする請求項３記載の洗い場床。
【請求項６】
前記排水トラップは、前記排水口に対して締付フランジを介して固定されており、
前記基材は、前記排水トラップと前記締付フランジの上下方向の間には介在しないように構成されていることを特徴とする請求項５記載の洗い場床。
【請求項７】
前記接合部保護手段は、
前記排水ピット部材の真下に配置され、該排水ピット部材を受け止める受け止め部と、
前記建築床上に接地される接地部と、
前記受け止め部で受けた力を前記接地部に伝達する伝達部と、を有し、
前記受け止め部および前記伝達部は前記排水トラップに形成されており、
前記接地部は、前記排水トラップの底部から垂下形成され、前記建築床上に接地されたトラップ支持脚であることを特徴とする請求項２記載の洗い場床。
【請求項８】
前記接合部保護手段は、
前記排水ピット部材の真下に配置され、該排水ピット部材を受け止める受け止め部と、
前記建築床上に接地される接地部と、
前記受け止め部で受けた力を前記接地部に伝達する伝達部と、を有し、
前記受け止め部は前記排水トラップに形成され、前記伝達部は前記排水トラップ及び前記基材に形成されており、
前記接地部は前記基材を支持する基材支持脚であることを特徴とする請求項２記載の洗い場床。
【発明の詳細な説明】
【技術分野】
【０００１】
本発明は、洗い場床に関する。
【背景技術】
【０００２】
従来、浴室ユニットに組み込まれる洗い場床として、その基材にＦＲＰ(Fiber Reinforced Plastic)製の防水パンを備えたものが多く利用されている。このような洗い場床としては、特に表面材がないもの（例えば特許文献１参照）の他、外観意匠性を向上させたり防水性を付与したりするために表面材が設けられたものもある（例えば特許文献２，３参照）。
【０００３】
特許文献２に開示されている表面材は、洗い場床の床面部のみに平面状の表面材を被覆したものであり、排水ピット部には表面材が積層されていない。このような平面状の表面材であれば、印刷加飾層を含む複層の薄いフィルム状の材料を積層接着させるラミネート成形が採用できる。このラミネート成形は、長尺シート状の加飾シートを効率的に連続生産できるものであるため、多彩な意匠を経済性高く実現可能な手法である。しかしながら、ラミネート成形は、その製法上、排水ピット部のような複雑な３次元形状を付与することが困難である。そのため、防水パンを意匠性や防水性に優れていない材料（例えば発泡材）で形成する際には、防水パンの排水ピット部をラミネート成形で形成した表面材で覆うことができない。
【０００４】
また、特許文献３に開示されている表面材は、床面部と排水ピット部の両方に表面材を被覆したものであり、床面部と排水ピット部とをプレス成形によって一体成形している。このようなプレス成形によって形成した表面材は、ラミネート成形に比べて多彩な意匠を付与することが困難である。
【０００５】
このように、ラミネート成形された表面材を貼り付ける手法は高い意匠性をもった製品を安価に実現する手法の一つではあるが、その一方で、３次元形状の成形を行いにくいものでもある。こうした状況下で高い意匠を持った３次元形状の表面材を形成させるとすれば、例えば、床面部材をラミネート成形のシート状の部材で形成し、射出成形などで別に形成した排水ピット部材とこの床面部材を後から接合して一体化することなどが考えられる。
【先行技術文献】
【特許文献】
【０００６】
【特許文献１】特開平７−１８９３１０号公報
【特許文献２】特開２０１０−５９６５２号公報
【特許文献３】特開２０１０−２２９７９１号公報
【発明の概要】
【発明が解決しようとする課題】
【０００７】
しかしながら、床面部材と排水ピット部材を別々に成形し、何らかの接合手段で一体化した床構造においては、その接合部が従来の一体成形品に比べて強度的に弱くなってしまう。しかも、排水ピット部材は、目隠し用のカバー部材が載置されているのが一般的であって、洗い場床上を移動する使用者の荷重が加わる箇所でもあることから、荷重が加わった際に接合部に負荷がかかり、長期使用において剥がれや破損の生じる可能性が高くなる。このような問題も含め、現状の洗い場床は、その成形方法や構造を踏襲する限りは基材の設計自由度や意匠の設計自由度に限度があるものといえる。
【０００８】
そこで、本発明は、床面部材と排水ピット部材とを接合して一体化した表面材において接合部が剥がれたり破損したりするのを抑止することができ、尚かつ基材設計や意匠設計の自由度を向上させることができる洗い場床を提供することを目的とする。
【課題を解決するための手段】
【０００９】
かかる課題を解決するべく本発明者は、床面部と排水ピット部材とを接合する構造に着目しつつ種々の検討をした。例えば上述の特許文献１〜３はいずれも床面部と排水ピット部材とを一体成形しているものであり、別々に成形された床面部と排水ピット部材を接合して一体化するという技術とは無縁であり、そもそも接合部の剥がれや破損といった課題がなかったものである。こうした従来技術をも考慮しつつ検討を重ねた本発明者は課題の解決に結び付く知見を得るに至った。
【００１０】
本発明はかかる知見に基づくものであり、浴室ユニットに組み込まれる洗い場床であって、当該洗い場床の床面部を構成する床面部材と、当該洗い場床の排水ピット部を構成する排水ピット部材とからなり、床面部材の端部裏面に排水ピット部材の上端を接合して一体化した表面材と、床面部材の下部に配置され、洗い場床の床面部の上に加わる荷重を支える基材と、排水ピット部材の底部に形成された排水口に取り付けられ、排水管が接続される排水トラップと、排水ピット部材の上に載置され、排水ピット部材の上部を覆い隠すカバー部材と、を備え、カバー部材から排水ピット部材に加わる力が床面部材と排水ピット部材との接合部に伝わることを抑止する接合部保護手段を設けたことを特徴とする。
【００１１】
本発明にかかる洗い場床においては、基材の上に表面材を設けていることから、外観意匠性や防水性の低い基材（例えば発泡材による床パン）を採用することが可能となる。これによれば、基材の材料や製法の選択肢が広がり、基材設計の自由度を向上させることができる。
【００１２】
また、本発明にかかる洗い場床においては、表面材を構成する床面部と排水ピット部とを別々に成形しているため、床面部と排水ピット部とを一体成形する製法ないし製品に比べ、床面部に付与できる意匠が増えるとともに、経済的に最適な加飾手法を組み合わせることが出来るため、意匠設計の自由度・経済性を向上させることもできる。
【００１３】
さらに、本発明にかかる洗い場床においては、床面部材の端部裏面に排水ピット部材の上端を接合しているため、カバー部材を載置した状態において、浴室内にいる使用者からは排水ピット部が見えなくなっている。このため、この点においても排水ピット部およびその周辺部の意匠性が向上する。また、上述のように接合した場合、床面部材と排水ピット部材の継ぎ目が洗い場床の上面に露出しないため、当該床上面を流れる排水性を向上させることができる。
【００１４】
しかも、本発明にかかる洗い場床においては、排水ピット部材に加わる力（カバー部材の上に加わる使用者の荷重など）が接合部（床面部材と排水ピット部材との接合部）に伝わることを抑止する接合部保護手段を設けたため、当該接合部に無理な負荷がかからないようにすることができる。したがって、床面部と排水ピット部とを接合して一体化した表面材を採用した場合においても、接合部が剥がれたり破損したりするのを抑止し、漏水に繋がる可能性を長期にわたって極力排除することが可能である。
【００１５】
洗い場床における接合部保護手段は、排水ピット部材の下部に配置され、カバー部材から排水ピット部材に加わる力を建築床に伝達するものであることが好ましい。このような接合部保護手段は、排水ピット下方の浴室外空間（デッドスペース）を利用して排水ピット部材に加わる力を接合部に伝わらないように逃がすことができるため、排水ピット部材や表面部材等の意匠性に影響を与えない。しかも、この接合部保護手段は建築床に力を伝達するものであるため、接合部に無理な負荷がかかることをより確実に抑止できる。
【００１６】
また、洗い場床における接合部保護手段は、排水ピット部材の真下に配置され、該排水ピット部材を受け止める受け止め部と、排水ピット部材の真下空間から離間した位置に設けられ、建築床上に接地される接地部と、排水トラップおよび排水管と干渉することなく受け止め部で受けた力を接地部に伝達する伝達部と、を有していることが好ましい。一般に、排水ピット部の真下空間には、排水トラップや該排水トラップと接続される排水管が配置されている。このため、仮に建築床に接地される接地部を排水ピット部の真下空間に設けるとすれば、該接地部が排水管と干渉する可能性が生じ、干渉を避けて施工する必要が生じて施工が面倒になる。この点、本発明によれば、接地部を排水ピット真下空間から離間した位置に設けるようにしたため、接地部が排水管と干渉することを回避して施工性（施工しやすさ）を向上させることができる。
【００１７】
上述の受け止め部は、排水ピット部材のカバー部材が載置される載置部の真下位置に設けられていることが好ましい。載置部の真下位置に受け止め部が設けられていることで、排水ピット部材自体の剛性が高くない場合においても接合部に負荷がかかることを極力抑止することができる。
【００１８】
さらに、洗い場床において、受け止め部および伝達部は基材に形成されており、接地部は基材を支持する基材支持脚であることが好ましい。本発明によれば、元々必須の部材である基材を有効活用することによって、洗い場床の全体構成を簡略化することが可能となる。また、一般に、基材は床面部の荷重を支持するために高剛性で形成されることになるため、接合部に無理な負荷がかかることをより確実に抑止することができる。
【００１９】
また、洗い場床において、排水トラップは、排水口に対して締付フランジを介して固定されており、基材は、排水トラップと締付フランジの上下方向の間には介在しないように構成されていることが好ましい。フランジ締め付け部（締付フランジによって締め付けられる部分）は、特に止水性が要求される部分の一つであり、ここに多くの部材が積み重なることは、その分、締め付け精度が劣化することになるため好ましくない。この点、本発明によれば、フランジ締め付け部には排水ピット部材しか介在しないため、トラップ取り付け部分の止水性を向上させることができる。
【００２０】
また、洗い場床において、接合部保護手段は、排水ピット部材の真下に配置され、排水ピット部材を受け止める受け止め部と、建築床上に接地される接地部と、受け止め部で受けた力を接地部に伝達する伝達部と、を有し、受け止め部および伝達部は排水トラップに形成されており、接地部は、排水トラップの底部から垂下形成され、建築床上に接地されたトラップ支持脚であることも好ましい。本発明によれば、元々必須の部材である排水トラップを有効活用することによって、洗い場床の全体構成を簡略化することが可能となる。
【００２１】
さらに、洗い場床において、接合部保護手段は、排水ピット部材の真下に配置され、排水ピット部材を受け止める受け止め部と、建築床上に接地される接地部と、受け止め部で受けた力を接地部に伝達する伝達部と、を有し、受け止め部は排水トラップに形成され、伝達部は排水トラップ及び基材に形成されており、接地部は基材を支持する基材支持脚であることも好ましい。本発明によれば、元々必須の部材である基材および排水トラップを有効活用することによって、洗い場床の全体構成を簡略化することが可能である。
【発明の効果】
【００２２】
本発明によれば、床面部と排水ピット部材とを接合して一体化した表面材において接合部が剥がれたり破損したりするのを抑止することができ、尚かつ基材設計や意匠設計の自由度を向上させることができる。
【図面の簡単な説明】
【００２３】
【図１】本発明にかかる洗い場床が適用された浴室ユニットの一例を示す斜視図である。
【図２】洗い場床の構成例を示す斜視図である。
【図３】洗い場床を構成する表面材、基材等を示す分解斜視図である。
【図４】（Ａ）別々に成形された床面部材と排水ピット部材とを示す斜視図、（Ｂ）これら床面部材と排水ピット部材とを一体化して構成される表面材の斜視図である。
【図５】本発明の一実施形態を示す洗い場床の排水口周辺の縦断面図である。
【図６】排水口周辺の部材の構成例を示す分解斜視図である。
【図７】排水口周辺の部材の構成例を示す分解斜視図である。
【図８】排水ピット部材の表面の構成例を示す斜視図である。
【図９】排水口周辺の部材の構成例を一部断面とともに示す斜視図である。
【図１０】本発明の第２の実施形態を示す洗い場床の排水口周辺の縦断面図である。
【図１１】本発明の第３の実施形態を示す洗い場床の排水口周辺の縦断面図である。
【図１２】本発明の第４の実施形態を示す洗い場床の排水口周辺の縦断面図である。
【発明を実施するための形態】
【００２４】
以下、本発明の構成を図面に示す実施の形態の一例に基づいて詳細に説明する。
【００２５】
図１等に本発明にかかる洗い場床の例を示す。本発明にかかる洗い場床１は表面材２、基材５、排水トラップ６、トラップカバー（カバー部材）７などを備え、さらに接合部保護手段８が設けられている。
【００２６】
洗い場床１は浴室ユニット１０に組み込まれ、浴槽２００に隣接する洗い場の床を形成している（図１等参照）。当該洗い場床１において最も低くなる位置には排水口１１が形成されている。洗い場床１の表面（表面材２）にはこの排水口１１が最も低くなるような排水勾配がつけられており、表面材２上の水が排水勾配に沿って流れ排水口１１（の排水ピット部材４）に集水されるようになっている。
【００２７】
表面材２は基材５の表面全体を覆って防水性を付与する部材である。本実施形態の表面材２は、洗い場床１の床面部１ａを構成する床面部材３と、洗い場床１の排水ピット部（図５において符号Ｔで示す）を構成する排水ピット部材４とで構成されている（図４、図５参照）。表面材２として、模様が付されているなど、洗い場床１の意匠性を向上させるものを採用することも好ましい。また、排水ピット部材４に金属層４２を介して表皮材４３を設けることとしてもよい（図８参照）。
【００２８】
本実施形態では、床面部材３の端部裏面に排水ピット部材４の上端を接合することによってこれら床面部材３と排水ピット部材４とを一体化している（図４〜図６参照）。これらを一体化する手段は特に限定されないが、本実施形態では床面部材３と排水ピット部材４とを熱融着によって接合し、水密性と高い接合強度との両立を図るようにしている（図５参照）。また、この場合において、床面部材３よりも融点が低い材料から構成されている排水ピット部材４を採用することとすれば、床面部材３の表面の方が相対的に溶けにくいことを利用して排水性や意匠性（排水溝や梨地が形成）に影響を与えないようにすることができる。また、融点が低い排水ピット部材４を採用することで、当該排水ピット部材４の方を相対的に多く溶かしてより堅実な融着をすることが可能である。融点が低い排水ピット部材４としては、例えば、電磁誘導加熱や電気抵抗ジュール熱による溶着等の加工が可能な金属層４２を接合部分に有するもの等がある（図８参照）。
【００２９】
また、本実施形態においては、床面部材３の内側（排水口１１寄り）の端部裏面に排水ピット部材４の上端を接合している（図５、図６参照）。こうした場合には、排水トラップ６上にトラップカバー７を載置した状態において、浴室内にいる使用者からは排水ピット部Ｔが見えなくなるので排水ピット部Ｔやその周辺部の意匠性の向上を図ることができる。しかも、こうした場合には床面部材３と排水ピット部材４の継ぎ目が洗い場床１の上面に露出しないため、当該床上面を流れる排水性の向上を図ることもできる。
【００３０】
基材５は、床面部材３の下部に配置され、洗い場床１の床面部１ａの上に加わる荷重を支える部材であり、特に図示していないが浴室壁パネル、天井パネル、風呂椅子、洗面器などの静荷重や使用者の動荷重を受けても撓んだり破損したりしない十分な強度を備えている。基材５は、具体的には発泡床パン、板状架台、フレーム状架台などのいずれでもよい。また、基材５と表面材２との間にクッション材４００を介在させてもよい（図７参照）。本実施形態で例示する基材５は、作業口５１、排水用の開口５２を備えており、例えば四隅を基材支持脚５３で支持されている（図３参照）。
【００３１】
また、基材５は、浴室外に湯水を漏出させない防水性を備えていることが好ましいが、当該基材５の表面全体を表面材２で覆う構成の本実施形態の場合には、基材５が十分な防水性を備えていなくても足りる。したがって、基材１０の材質としては、一般的に使用されているＦＲＰ等の熱硬化性樹脂の他、ポリプロピレン、ポリエチレン等の熱可塑性樹脂に補強を施したもの、さらには例えば発泡材のような防水性の低い基材を使用することが可能である。
【００３２】
排水トラップ６は、排水ピット部材４の底部に形成された排水口１１に取り付けられている（図３等参照）。排水トラップ６には、浴槽排水管６１を介して浴槽排水口６２が接続される（図３参照）。また、この排水トラップ６には排水を流すための排水管１２が接続される（図５、図６参照）。
【００３３】
トラップカバー７は、排水ピット部材４の上部を覆い隠すカバーである（図２，図３等参照）。このトラップカバー７は、排水ピット部材４の上に着脱自在な状態で載置されている。トラップカバー７の形状は特に限定されるものではないが、本実施形態では四辺が下側に折り曲げられた形態の壁部７１を有するトラップカバー７を用いている（図５等参照）。
【００３４】
また、建築床１００上には、浴槽２００等を支持する架台３００が設置されている（図１参照）。架台３００は、例えば柱状の金属材（鋼材）を縦横に組み合わせて構成され、浴槽水を溜めた状態で且つ入浴者が存在している状態の浴槽荷重を支えるのに十分な強度および耐久性を有する。
【００３５】
ここで、本実施形態においては、排水トラップ６を、排水口１１に対して締付フランジ１３を介して固定している（図７、図９参照）。さらに、本実施形態では、基材５を、この締付フランジ１３と排水トラップ６との上下方向の間には介在させないようにして、高い止水性が要求される部分の一つであるフランジ締め付け部（締付フランジ１３によって締め付けられる部分）に多くの部材が積み重ならないようにし、当該締め付け部の止水性を向上させることとしている（図９参照）。
【００３６】
接合部保護手段８は、トラップカバー７から排水ピット部材４に加わる力が床面部材３と排水ピット部材４との接合部（図５等において符号Ｃで示す）に伝わることを抑止するものである。このような接合部保護手段８の具体例は特に限定されるものではないが、本実施形態では、受け止め部８１、接地部８２、伝達部８３を有する構成の接合部保護手段８を採用している（図５等参照）。
【００３７】
受け止め部８１は、排水ピット部材４の真下に配置され、該排水ピット部材４を受け止める部位として形成されている。例えば本実施形態では、基材５の排水口１１周りの一部を内側に鍔のように突出させ、該突出部分を受け止め部８１として機能させている（図５参照）。この受け止め部８１には、壁部７１を介して荷重Ｐが作用する。なお、ここでいう荷重Ｐとは、トラップカバー７の重量によるものの他、使用者や水の重量が加わった場合に作用するものも含む。
【００３８】
接地部８２は、排水ピット部材４の真下空間から離間した位置に設けられ、建築床１００上に接地される部位として形成されている。例えば本実施形態では、基材５と建築床１００との間に配置したいわば支（つっか）え棒のごとき部材を接地部８２として機能させている（図５参照）。また、一般的な洗い場床１においては、排水ピット部材４の真下の空間に排水トラップ６や該排水トラップ６と接続される排水管１２が配置されていることを考慮し（図３、図５等参照）、本実施形態では接地部８２を排水ピット部材４の真下空間から離間した位置に設けることにより、接地部８２が排水管１２等と干渉することを回避して施工性の向上を図っている。
【００３９】
伝達部８３は、排水トラップ６および排水管１２と干渉することなく受け止め部８１で受けた力を接地部８２に伝達する部位として形成されている。例えば本実施形態では、基材５における排水口１１の周囲部分を、受け止め部８１で受けた力を接地部８２に伝達する部位として機能させている（図５等参照）。
【００４０】
なお、上述の接地部８２は、荷重Ｐを建築床１００に逃がして接合部Ｃの剥がれや破損を抑止しうるものであればその個数や配置は特に限定されないが、例えば図６等に示すように基材５の開口５２、排水ピット部材４の外枠、排水口１１さらにはトラップカバー７が矩形に形成されている場合には、これら接地部８２を少なくとも四隅に配置することが好ましい。こうすることで、荷重Ｐをより均等に伝達して建築床１００に逃がすことが可能となる。なお、図５等においては断面の切り口を特に定めていない。排水口１１等が矩形であり、切り口が対角線に沿っているのであれば、図５等では対角の接地部８２（のみ）を図示していることになる。
【００４１】
ここまで説明したように、本実施形態の洗い場床１によれば、基材５の上に表面材２を設けていることから、外観意匠性や防水性の低い基材（例えば発泡床パン）５を採用することが可能である。すなわち、従来のＦＲＰ製防水パンのような基材を用いずとも防水を備えた洗い場床１を構築することが可能となるため、他の製法により洗い場床１を成形することが可能になる等、基材５の材料や製法の選択肢が広がり、基材設計の自由度が大きくなる。
【００４２】
また、本実施形態では、洗い場床１の表面材２を構成する床面部材３と排水ピット部材４とを別々に成形しているので（図４等参照）、床面部１ａと排水ピット部Ｔとを当初から一体成形する製法ないし製品に比べ、床面部材３（およびこれによって構成される床面部１ａ）の設計自由度も大きくなる。したがって、表面材２の意匠設計の自由度を向上させることもできる。
【００４３】
さらに、本実施形態では、別々に成形した床面部材３と排水ピット部材４とを接合するに際し、接合部保護手段８を設けているため、排水ピット部材４に加わる力（トラップカバー７の上に加わる使用者の荷重など）が、床面部材３と排水ピット部材４との接合部Ｃに伝わることを抑止し、当該接合部Ｃに無理な負荷がかからないようにすることが可能である。このため、床面部材３と排水ピット部材４とを接合して一体化した表面材２（当初から一体成形されたものではない表面材２）においても、接合部Ｃが剥がれたり破損したりするのを抑止し、漏水に繋がる可能性を長期にわたって極力排除することが可能である。
【００４４】
なお、上述の実施形態は本発明の好適な実施の一例ではあるがこれに限定されるものではなく本発明の要旨を逸脱しない範囲において種々変形実施可能である。例えば、本実施形態では、トラップカバー７から排水ピット部材４に加わる力が床面部材３と排水ピット部材４との接合部Ｃに伝わることを抑止する接合部保護手段８の一形態を示したが（図５参照）、かかる形態は好適な一例にすぎない。
【００４５】
以下、本発明の第２の実施形態として接合部保護手段８の他の例を示す（図１０参照）。本実施形態では、接合部保護手段８の受け止め部８１および伝達部８３を基材５に形成している。こうした場合には、本発明にかかる洗い場床１において必須である基材５の一部（例えば、開口５２寄りに一体的に形成された段部）を、受け止め機能や伝達機能を発揮する部材として有効的に活用することができるので、洗い場床１の全体構成の簡略化につながる。さらに、本実施形態では、基材５を支持する支持脚（基材支持脚５３）を接地部８２として用いる（図１０参照）。
【００４６】
続いて、本発明の第３の実施形態として接合部保護手段８の他の例を示す（図１１参照）。本実施形態では、排水ピット部材４のトラップカバー（カバー部材）７が載置される載置部（図１１中において符号４１で示す）の真下となる位置に受け止め部８１を設けている。図１１に示すように、この場合の受け止め部８１は排水トラップ６の一部であってもよい。ここで、仮に受け止め部８１が載置部４１の真下に位置していないとすれば、そのぶん荷重位置と支持位置とがオフセットした状態（水平方向へずれた状態）となるから、排水ピット部材４自体に相当程度の剛性（変形を抑えつつ荷重を受け止めるだけの剛性）が必要になって設計自由度が小さくならざるを得ない。これに対し、本実施形態によればそのようなことを回避し、排水ピット部材４自体の剛性が高くない場合においても接合部Ｃに負荷がかかることを極力抑止することができる。
【００４７】
また、上述のように、受け止め部８１と伝達部８３とが排水トラップ６に形成されている場合、排水トラップ６の底部から垂下形成され、建築床１００上に接地されたトラップ支持脚を接地部８２として用いることができる（図１１参照）。このように排水ピット部材４の下部に配置された接地部８２は、トラップカバー７から排水ピット部材４に加わる荷重Ｐを建築床１００に伝達する。本発明において排水トラップ６は必須であり、当該必須の構成を利用して接合部保護手段８を構築することとすれば、洗い場床１の全体構成の簡略化を図ることができる。また、このような接合部保護手段８を用いることにより、排水ピット部材４の下方の浴室外空間（デッドスペース）を利用しつつ、排水ピット部材４に加わる力が接合部Ｃに伝わらないよう逃がすことが可能となる。
【００４８】
引き続き、本発明の第４の実施形態として接合部保護手段８のさらに別の例を示す。上述した実施形態では、トラップカバー７から受ける荷重Ｐは基材５と排水トラップ６のいずれか一方のみに受け止められ伝達されていたが、本実施形態では排水トラップ６で受け止めた荷重Ｐを基材５を介して接地部８２に伝達するようにしている（図１２）。このような構成においては、排水トラップ６の一部と基材５とが直接または間接的に結合していることが好ましい。本実施形態では、排水トラップ６に水平方向に延在した鍔状のフランジ部６３を形成しており、ビス等の締結手段６４によって該フランジ部６３を基材５の裏面に締結している（図１２参照）。これによれば、基材５の開口５２寄りの部分に段部などを形成することなく、尚かつ排水トラップ６の底部にトラップ支持脚（接地部）を設けることなく、接合部保護手段８を構築することができる。
【符号の説明】
【００４９】
１：洗い場床
１ａ：床面部
２：表面材
３：床面部材
４：排水ピット部材
５：基材
６：排水トラップ
７：トラップカバー（カバー部材）
８：接合部保護手段
１０：浴室ユニット
１１：排水口
１２：排水管
１３：締付フランジ
４１：載置部
８１：受け止め部
８２：接地部
８３：伝達部
１００：建築床
Ｃ：接合部
Ｔ：排水ピット部
【図１】
0005660318.tif 000002
【図２】
0005660318.tif 000003
【図３】
0005660318.tif 000004
【図４】
0005660318.tif 000005
【図５】
0005660318.tif 000006
【図６】
0005660318.tif 000007
【図７】
0005660318.tif 000008
【図８】
0005660318.tif 000009
【図９】
0005660318.tif 000010
【図１０】
0005660318.tif 000011
【図１１】
0005660318.tif 000012
【図１２】
0005660318.tif 000013